(57)【特許請求の範囲】
【請求項１】
エンクロージャの枠組構造物の、プロファイル区分として形成された複数の枠辺部に固定するための取付け金具であって、枠辺部を成すプロファイル区分が、横断面で見て複数のプロファイル辺を形成しており、これらのプロファイル辺のうち、枠辺部を外側に対して閉鎖しているプロファイル辺が閉鎖プロファイル辺（１１）として形成されており、枠辺部が枠組構造物の外側コーナ縁部に向かって自由空間を有しており、該自由空間が、枠組構造物の内室に向かって閉じられかつ外側コーナ縁部に向かって拡開した、枠組構造物の外側コーナ縁部で交差し合う２つの外側平面の成す角度を２等分する線に対して鏡像対称的な収容部を有している形式のものにおいて、当該取付け金具（２０，３０，４０）が固定用プレート（２１，３１，４１）を有しており、該固定用プレート（２１，３１，４１）の横断面が前記収容部の横断面に適合されており、該固定用プレート（２１，３１，４１）が、枠辺部（１０）の閉鎖プロファイル辺（１１）に結合可能であり、さらに前記固定用プレート（２１，３１，４１）が、該固定用プレートの中心に１つの固定用孔（２５，３５，４５）を保持しており、前記固定用プレート（２１，３１，４１）が、枠辺部（１０）の長手方向で、前記固定用孔（２５，３５，４５）に対して対称的、かつ規定された幅を有しており、当該取付け金具（２０，３０，４０）の前記固定用プレート（２１，３１，４１）の、枠辺部（１０）の長手方向に対して直交する横方向に延びる少なくとも１つの辺が、互いに並設された別の取付け金具（２０，３０，４０）の固定用プレート（２１，３１，４１）と結合するために、前記固定用孔（２５，３５，４５）を貫いた長手方向軸線に対して対称的に等間隔を置いて、少なくとも１つの結合突起（ａ）と、少なくとも１つの対応する相補的な結合収容部（ｂ）とを保持していることを特徴とする、エンクロージャの枠組構造物の枠辺部に固定するための取付け金具。
【請求項２】
前記固定用プレート（２１，３１，４１）の、枠辺部（１０）の長手方向軸線に対して直交する横方向に延びる２つの辺が、それぞれ少なくとも１つの結合突起（ａ）と少なくとも１つの結合収容部（ｂ）とを保持しており、ただしこれらの結合突起（ａ）および結合収容部（ｂ）は前記固定用プレート（２１，３１，４１）の両辺で互い違いに配置されている、請求項１記載の取付け金具。
【請求項３】
前記結合突起（ａ）が円弧状の輪郭を有する舌片として形成されており、前記結合収容部（ｂ）が、該舌片に対応する円弧状の輪郭を有する結合収容部として形成されている、請求項１または２記載の取付け金具。
【請求項４】
前記固定用プレート（２１，３１，４１）の、枠辺部（１０）の長手方向軸線に対して直交する横方向に延びる２つの辺が、互いに噛み合う歯列として形成されており、該歯列に設けられた複数の歯が前記結合突起（ａ）を形成しており、歯溝が前記結合収容部（ｂ）を形成している、請求項１または２記載の取付け金具。
【請求項５】
前記結合突起（ａ）が、方形状の輪郭を有するタブとして形成されており、前記結合収容部（ｂ）が、該タブに対応する輪郭を有する収容溝として形成されている、請求項１または２記載の取付け金具。
【請求項６】
前記結合突起（ａ）が鳩尾状のありとして形成されており、前記結合収容部（ｂ）が鳩尾状のあり溝として形成されている、請求項１または２記載の取付け金具。
【請求項７】
前記固定用プレート（２１，３１，４１）が、前記結合収容部として前記長手方向軸線（１８）に対して等間隔を置いて複数の貫通孔（５１）を有しており、該貫通孔（５１）内に選択的に結合ピン（５０）が挿入可能であり、該結合ピンの前記貫通孔（５１）からの突出部分が前記結合突起を成している、請求項１記載の取付け金具。
【請求項８】
枠辺部（１０）の収容部の閉鎖プロファイル辺（１１）が、当該取付け金具（２０，３０，４０）の前記固定用プレート（２１，３１，４１）の前記固定用孔（２５，３５，４５）に挿通された固定用ねじを挿通させるための固定用収容部を該閉鎖プロファイル辺（１１）の長手方向に複数個保持しており、該固定用収容部が、一列になって単一のピッチ（Ｔ）で配置されており、枠辺部（１０）の長手方向（１８）における当該取付け金具（２０，３０，４０）の前記固定用プレート（２１，３１，４１）の寸法が、前記ピッチ（Ｔ）の整数倍（η・Ｔ）に相当している、請求項１から７までのいずれか１項記載の取付け金具。
【請求項９】
当該取付け金具が、複数の枠組構造物（１０）を相並んで連結するための連結エレメント（２０）、エンクロージャドアを枢着するためのヒンジエレメント（３０）、壁エレメントを取り付けるための壁固定エレメント、またはエンクロージャドアの閉鎖部のための閉鎖エレメントとして形成されている、請求項１から８までのいずれか１項記載の取付け金具。
【発明の詳細な説明】
【０００１】
【発明の属する技術分野】
本発明は、スイッチキャビネット等のエンクロージャの枠組構造物の、プロファイル区分として形成された複数の枠辺部に固定するための取付け金具であって、枠辺部を成すプロファイル区分が、横断面で見て複数のプロファイル辺を形成しており、これらのプロファイル辺のうち、枠辺部を外側に対して閉鎖しているプロファイル辺が閉鎖プロファイル辺として形成されており、枠辺部が枠組構造物の外側コーナ縁部に向かって自由空間を有しており、該自由空間が、枠組構造物の内室に向かって閉じられかつ外側コーナ縁部に向かって拡開した、枠組構造物の外側コーナ縁部で交差し合う２つの外側平面の成す角度を２等分する線に対して鏡像対称的な収容部を形成している形式のものに関する。
【０００２】
【従来の技術】
欧州特許第０５３３５５５号明細書に開示されているように、エンクロージャドアを枠組構造物に枢着し、かつ閉扉位置で閉じた状態に保持するためには、種々の取付け金具が存在している。さらに、壁エレメントが取付け金具によって枠組構造物に固定され得る。さらに、互いに別個に設置された枠組構造物を互いに固く結合するためには、特殊な取付け金具が必要となる。公知のエンクロージャでは、特殊な固定用ベース部材を用いて、取り付けたい取付け金具のための固定個所が位置固定される。この固定用ベース部材は枠辺部に設けられた収容部の閉鎖プロファイル辺とねじ締結される。固定用ベース部材の、閉鎖プロファイル辺に対して直角に位置する側壁は、固定用収容部を備えており、この固定用収容部内には、取付け金具に設けられた固定用突起が導入可能となる。
【０００３】
取付け金具のためのこのような固定形式は、固定個所１つ当たり１つの固定用ベース部材を必要とし、しかも取付け金具に対する差込み結合装置の保持も、たびたび不十分となる。
【０００４】
【発明が解決しようとする課題】
本発明の課題は、冒頭で述べた形式の取付け金具を改良して、唯一つの固定用ねじを用いてエンクロージャの枠組構造物の枠辺部に紛失不能に固定することができ、しかも種々異なる取付け金具の相並んだ連結が可能となるような取付け金具を提供することである。
【０００５】
【課題を解決するための手段】
この課題を解決するために本発明の構成では、当該取付け金具が固定用プレートを有しており、該固定用プレートの横断面が前記収容部の横断面に適合されており、該固定用プレートが、異形成形材（プロファイル）から成る枠辺部の閉鎖プロファイル辺もしくは閉鎖異形成形断面辺に結合可能であり、さらに前記固定用プレートが、該固定用プレートの中心に１つの固定用孔を保持しており、前記固定用プレートが、枠辺部の長手方向で、前記固定用孔に対して対称的、かつ規定された幅を有しており、当該取付け金具の前記固定用プレートの、枠辺部の長手方向に対して直交する横方向に延びる少なくとも１つの辺が、互いに並設された別の取付け金具の固定用プレートと結合するために、前記固定用孔を貫いた長手方向軸線に対して対称的に等間隔を置いて、少なくとも１つの結合突起と、少なくとも１つの対応する相補的な結合収容部とを保持しているようにした。
【０００６】
【発明の効果】
本発明の構成では、各取付け金具が一様の固定用プレートを保持しており、この固定用プレートは固定個所１つ当たり１つの固定用ベース部材を不要にする。相対回動不能な固定のためには、１つの固定用ねじで十分となる。なぜならば、固定用プレートは既にその横断面によって枠辺部の収容部内に保持されているからである。結合突起と結合収容部とを介した連鎖状の連結を用いて、回動防止性はなお著しく改善される。なぜならば、両固定用プレートが個々に遊びを持って収容部内に嵌め込まれている場合でも、両固定用プレートはあたかも唯一つのプレートのように作用し、かつ２つの固定用ねじによって絶対的に回動不能に固定されているからである。
【０００７】
本発明の有利な構成では、前記固定用プレートの、枠辺部の長手方向軸線に対して直交する横方向に延びる２つの辺が、それぞれ少なくとも１つの結合突起と少なくとも１つの結合収容部とを保持しており、ただしこれらの結合突起および結合収容部は前記固定用プレートの両辺で互い違いに配置されている。これにより、互いに並設されて連結された固定用部分を、同じ方向または互いに異なる方向へ向けて枠辺部に固定することができる。
【０００８】
結合突起および結合収容部の形成は、種々様々に行うことができる。すなわち、本発明の有利な１構成では、前記結合突起が円弧状の輪郭を有する舌片として形成されており、前記結合収容部が、該舌片に対応する円弧状の輪郭を有する結合収容部として形成されている。また、前記固定用プレートの、枠辺部の長手方向軸線に対して直交する横方向に延びる２つの辺が、互いに噛み合う歯列として形成されており、該歯列に設けられた複数の歯が前記結合突起を形成しており、歯溝が前記結合収容部を形成しているか、あるいはまた前記結合突起が、方形状の輪郭を有するタブとして形成されており、前記結合収容部が、該タブに対応する輪郭を有する収容溝として形成されていることによっても、結合を行うことができる。
【０００９】
本発明のさらに別の有利な構成では、前記結合突起が鳩尾状のありとして形成されており、前記結合収容部が対応する鳩尾状のあり溝として形成されている。
【００１０】
前記固定用プレートが、前記結合収容部として前記長手方向軸線に対して等間隔を置いて複数の貫通孔を有しており、該貫通孔内に選択的に結合ピンが挿入可能であり、該結合ピンの前記貫通孔からの突出部分が前記結合突起を成していることにより、交番する結合エレメントとの選択的な結合が特徴付けられている。
【００１１】
本発明のさらに別の有利な構成では、枠辺部の収容部の閉鎖プロファイル辺が、当該取付け金具の前記固定用プレートの前記固定用孔に挿通された固定用ねじを挿通させるための固定用収容部を該閉鎖プロファイル辺の長手方向に複数個保持しており、該固定用収容部が、一列になって単一のピッチで配置されており、枠辺部の長手方向における当該取付け金具の前記固定用プレートの寸法が、前記ピッチの整数倍に相当していることにより、固定個所の自在な移動が達成される。
【００１２】
本発明のさらに別の有利な構成では、当該取付け金具の固有の機能部分が、前記固定用プレートの、枠辺部の長手方向軸線に対して平行に延びる１つの辺に一体成形されており、これらの機能部分が、少なくとも部分的に、前記閉鎖プロファイル辺に続いた別のプロファイル辺に支持されている。これにより、取付け金具が収容部内で付加的に支持される。
【００１３】
取付け金具自体の構成に関して、本発明のさらに別の有利な構成では、当該取付け金具が、複数の枠組構造物を相並んで連結するための連結エレメント、エンクロージャドアを枢着するためのヒンジエレメント、壁エレメントを取り付けるための壁固定エレメント、またはエンクロージャドアの閉鎖部のための閉鎖エレメントとして形成されている。
【００１４】
【発明の実施の形態】
以下に、本発明の実施の形態を図面につき詳しく説明する。
【００１５】
図１および図２には、相並んで連結された２つのフレームワークもしくは枠組構造物１０の間の結合個所が示されている。この場合、枠組構造物１０の外側平面は、仮想の外側コーナ縁部１６で交差し合う一点鎖線１４，１５により示されている。枠組構造物の枠辺部１０は、それぞれ対応する外側コーナ縁部１６に対して自由空間を形成している。この自由空間は、枠辺部１０を形成する異形成形フレームの閉鎖プロファイル辺１１により仕切られていて、外側コーナ縁部１６に向かって拡開した収容部を形成している。閉鎖プロファイル辺１１には、縁付けされた枠辺部１０の端区分１２が載置されている。両枠辺部１０のこの個所には、２つの連結エレメント２０と、１つのヒンジエレメント３０と、１つの壁エレメントまたは閉鎖エレメント４０とが固定される。これらの取付け金具は、それぞれ一様の固定用プレート２１，３１または４１を有しており、この固定用プレート２１，３１または４１はそれぞれ中心に１つの固定用孔２５，３５または４５を備えている。これにより、対応する枠辺部１０への取付けのためには、それぞれ１つの固定用ねじしか必要とならない。この場合、固定用ねじは、固定用孔２５，３５，４５に挿通されるとともに閉鎖プロファイル辺１１の長手方向に設けられた複数の固定用収容部に挿通されて、取付け金具の固定用プレート２１，３１，４１を閉鎖プロファイル辺１１、すなわち枠辺部１０に取り付けるものである。
【００１６】
図面で見て右側の枠辺部１０では、上部に連結エレメント２０が固定されている。この連結エレメント２０に設けられた結合スリーブ２２は互いに平行な両枠辺部１０の自由空間内に突入しており、これにより、この結合スリーブ２２の孔軸線２３は枠辺部１０の両外側平面１５の間の真ん中に位置している。図面で見て左側の枠辺部１０には、別の連結エレメント２０が設けられている。この連結エレメント２０に設けられた結合スリーブ２２は右側の連結エレメント２０の結合スリーブ２２を延長している。これらの孔は結合ピンを収容しているので、両枠辺部１０は互いに固く結合されている。
【００１７】
図３に示したように、固定用プレート２１の１つの辺には、固定用孔２５を貫く長手方向軸線１８に対して対称的に舌片状の結合突起ａと、舌片状の結合収容部ｂとが設けられている。結合突起ａと結合収容部ｂとは同一の円弧状の輪郭を有している。長手方向軸線１８は枠辺部１０の長手方向に対して平行に延びており、結合突起ａおよび結合収容部ｂの中心軸線は、図３から判るように、固定用孔２５を貫いて延びる長手方向軸線１８に対して同一の間隔ｘを有している。こうして、２つの固定用プレート、たとえば連結エレメント２０の固定用プレート２１と、壁エレメントまたは閉鎖エレメント４０の固定用プレート４１とを、唯一つの枠辺部１０の閉鎖プロファイル辺１１に、直接に互いに接続して固定することができる。この場合、結合突起ａと結合収容部ｂとは互いに内外に嵌め合わされる。
【００１８】
全ての取付け金具２０，３０，４０の固定用プレート２１，３１，４１は、枠辺部１０の長手方向で、固定用孔２５，３５，４５に対して対称的であって、かつ規定された同じ幅を有している。また、閉鎖プロファイル辺１１の長手方向に設けられた複数の固定用収容部は、一列になって単一のピッチＴで配置されている。この場合、互いに並設された取付け金具２０，３０，４０の固定用プレート２１，３１，４１の固定用孔２５，３５，４５間の間隔、もしくは固定用プレート２１，３１，４１の枠辺部の長手方向の寸法は固定用収容部のピッチＴをベースにした規定のピッチＴの整数倍ηにもたらされている。
【００１９】
図４に示したように、固定用プレート２１の２つの平行な辺が、それぞれ１つの結合突起ａと結合収容部ｂとを備えていてもよい。この場合、結合突起ａと結合収容部ｂとは両辺で互い違いに配置されている。これによって、両取付け金具２０を同一方向でも、逆向きの方向でも、枠辺部１０に固定することができる。
【００２０】
図６および図７に取付け金具２０，４０の固定用プレート２１，４１につき示したように、結合突起ａと結合収容部ｂとを、歯列の歯および歯溝として、あるいはまたタブおよび収容溝として形成することもできる。この場合、図４に示した実施例と同様に、固定プレート２１，４１のそれぞれ互いに平行な２つの辺がこのような連結エレメントを備えていてもよい。
【００２１】
図５に示した固定用プレート２１，４１では、結合収容部ｂとして貫通孔５１が設けられている。これらの貫通孔５１はそれぞれ長手方向軸線１８の両側に設けられている。結合突起ａとしては結合ピン５０が設けられており、これらの結合ピン５０は選択的に、連結したい固定プレートの一方の辺または他方の辺から導入することができる。これにより、相並んで連結された取付け金具２０，４０のための、同一方向へ向けられた配置または逆方向へ向けられた配置が得られる。
【００２２】
右側の連結エレメント２０の下方には、ヒンジエレメント３０が配置されている。このヒンジエレメント３０は図１、図２および図９から判るように、前記自由空間から突出して、ヒンジピンのための、外側平面１４の前方に位置するヒンジアイ３２へ移行している。孔３３を備えたヒンジアイ３２は移行区分３６と側方の補強区間３４とを介して固定用プレート３１に一体成形されている。
【００２３】
左側の連結エレメント２０の上方では、左側の枠辺部１０に壁エレメントまたは閉鎖エレメント４０が固定されている。この場合、相互の連結は図示した手段のいずれかで形成され得る。固定用プレート４１には、移行区分４２を介して収容部４３が続いており、この収容部４３は閉鎖ヘッド５０と結合され得るか、または収容部４３自体が、壁エレメントの固定手段のための固定用収容部として形成されていてもよい（図１０参照）。
【００２４】
図８に示した連結エレメント２０も一体に形成されている。この場合、移行区分２６および補強ウェブ２４により、結合スリーブ２２が固定用プレート２１に結合されている。
【００２５】
エンクロージャのための全ての取付け金具が同一の固定用プレートを有しており、この場合、ユニバーサルな使用のためには、枠辺部１０の長手方向に対して直交する横方向に延びる２つの辺が、それぞれ１つの結合突起ａと結合収容部ｂとを備えている。固定用プレートの両辺には、複数の結合突起と結合収容部とが長手方向軸線１８に対して互いに置き換えられて設けられていてもよい。また、結合突起および結合収容部の構成には、本発明の基本思想から逸脱することなしに多数の構成が考えられる。
【図面の簡単な説明】
【図１】  ２つの連結エレメントと、１つのヒンジエレメントと、１つの壁固定用エレメントとを備えた、相並んで連結された２つの枠組構造物の間の結合個所を示す概略図である。
【図２】  図１に示した結合個所の斜視図である。
【図３】  互いに異なる方向へ向けられた取付け金具のための、互いに連結された２つの固定用プレートを示す概略図である。
【図４】  互いに同じ方向へ向けられた取付け金具のための、互いに連結された２つの固定用プレートを示す概略図である。
【図５】  差込み結合装置によって連結可能な２つの固定用プレートを示す概略図である。
【図６】  歯列によって連結された２つの固定用プレートを示す概略図である。
【図７】  タブと収容溝とによって連結された２つの固定用プレートを示す概略図である。
【図８】  連結エレメントの斜視図である。
【図９】  ヒンジエレメントの斜視図である。
【図１０】  壁固定用エレメントの斜視図である。
【符号の説明】
１０  枠辺部、  １１  閉鎖プロファイル辺、  １２  端区分、  １４，１５  外側平面、  １８  長手方向軸線、  ２０  連結エレメント、  ２１  固定用プレート、  ２２  結合スリーブ、  ２３  孔軸線、  ２４  補強ウェブ、  ２５  固定用孔、  ２６  移行区分、  ３０  ヒンジエレメント、  ３１  固定用プレート、  ３２  ヒンジアイ、  ３３  孔、  ３４  補強区間、  ３５  固定用孔、  ３６  移行区分、  ４１  固定用プレート、  ４２  移行区分、  ４３  収容部、  ４５  固定用孔、  ５１  貫通孔、  ５０  結合ピン、  ａ  結合突起、  ｂ  結合収容部
【図１】
0004092120.tif 000002
【図２】
0004092120.tif 000003
【図３】
0004092120.tif 000004
【図４】
0004092120.tif 000005
【図５】
0004092120.tif 000006
【図６】
0004092120.tif 000007
【図７】
0004092120.tif 000008
【図８】
0004092120.tif 000009
【図９】
0004092120.tif 000010
【図１０】
0004092120.tif 000011